【手続補正書】
【提出日】平成16年8月27日(2004.8.27)
【手続補正１】
【補正対象書類名】特許請求の範囲
【補正対象項目名】全文
【補正方法】変更
【補正の内容】
【特許請求の範囲】
【請求項１】
少なくとも２つのカルバメートサイトを有する架橋性ポリエステル−ポリウレタンポリマー、及び、
架橋剤、を有するコーティング組成物を提供すること、
前記組成物をほぼ平らな基材上にコーティングすること、
前記組成物を硬化させること、及び、
前記基材を容器もしくは容器の一部に成形すること、の工程を含む、包装容器をコーティングするための方法。
【請求項２】
前記架橋性ポリエステル−ポリウレタンポリマーはポリエステル中間体とポリイソシアネート化合物との反応により生成される、請求項１記載の方法。
【請求項３】
前記架橋性ポリエステル−ポリウレタンポリマーは数平均分子量が５，０００〜３５，０００である、請求項１記載の方法。
【請求項４】
前記架橋性ポリエステル−ポリウレタンポリマーはガラス転移温度が５０℃〜８０℃である、請求項１記載の方法。
【請求項５】
前記架橋性ポリエステル−ポリウレタンポリマーはヒドロキシ官能性ポリエステルとポリイソシアネート化合物の反応生成物である、請求項１記載の方法。
【請求項６】
前記ヒドロキシ官能性ポリエステルは炭素数が２〜１２のジオールと炭素数が４〜４０のジカルボン酸との反応生成物である、請求項５記載の方法。
【請求項７】
前記ヒドロキシ官能性ポリエステルは数平均分子量が２，０００〜１０，０００である、請求項５記載の方法。
【請求項８】
前記ジオールはブタンジオール、ブチルエチルプロパンジオール、２−メチル１，３−プロパンジオール、１，３−プロパンジオール、ヘキサンジオール、シクロヘキサンジメタノール、エチレングリコール、ジエチレングリコール、プロピレングリコール、ジプロピレングリコール、ネオペンチルグリコール及びヒドロキシピバリルヒドロキシピバレートからなる群より選ばれる、請求項６記載の方法。
【請求項９】
前記ジカルボン酸はアジピン酸、アゼライン酸、セバシン酸、ナフタレンジカルボン酸、ドデカンジカルボン酸、シクロヘキサンジカルボン酸、ヘキサヒドロフタル酸、フタル酸、テレフタル酸、イソフタル酸、コハク酸、ダイマー脂肪酸、それらのジカルボン酸のエステル及び酸無水物からなる群より選ばれる、請求項６記載の方法。
【請求項１０】
前記ポリイソシアネート化合物は１，６−ヘキサメチレンジイソシアネート、イソホロンジイソシアネート、４，４’−ビフェニレンジイソシアネート、トルエンジイソシアネート、シクロヘキシルジイソシアネート、テトラメチルキシレンジイソシアネート、エチルエチレンジイソシアネート、２，３−ジメチルエチレンジイソシアネート、１−メチルトリメチレンジイソシアネート、１，３−シクロペンチレンジイソシアネート、１，４−シクロヘキシレンジイソシアネート、１，３−フェニレンジイソシアネート、１，５−ナフタレンジイソシアネート、ビス（４−イソシアナトシクロヘキシル）−メタン及び４，４’−ジイソシアナトジフェニルエーテルからなる群より選ばれる、請求項５記載の方法。
【請求項１１】
前記架橋剤はブロックトポリイソシアネート、フェノール類及びアミノ樹脂からなる群より選ばれる、請求項１記載の方法。
【請求項１２】
前記コーティング組成物は少なくとも５０ｗｔ％の架橋性ポリエステル−ポリウレタンポリマーを含む、請求項１記載の方法。
【請求項１３】
前記コーティング組成物は７０ｗｔ％〜９５ｗｔ％の架橋性ポリエステル−ポリウレタンポリマーを含む、請求項１記載の方法。
【請求項１４】
前記コーティング組成物は２５ｗｔ％以下の架橋剤を含む、請求項１記載の方法。
【請求項１５】
前記コーティング組成物は５ｗｔ％〜１５ｗｔ％の架橋剤を含む、請求項１記載の方法。
【請求項１６】
前記コーティング組成物は、キャリア、潤滑剤、顔料、レオロジー調節剤及び流れ調節剤からなる群より選ばれる補助剤をさらに含む、請求項１記載の方法。
【請求項１７】
前記コーティング組成物は少なくとも１つのキャリアを含む、請求項１記載の方法。
【請求項１８】
コーティングする工程はシートコーティング、コイルコーティング及びスプレーコーティングからなる群より選ばれる、請求項１記載の方法。
【請求項１９】
硬化させる工程はコーティングされた基材を加熱することを含む、請求項１記載の方法。
【請求項２０】
硬化後のコーティングの厚さは２〜１０ミクロンである、請求項１記載の方法。
【請求項２１】
コーティングされる基材は清浄化しそして予備処理されたアルミニウム、スズ不含スチール、電解スズプレート、ドラッグビン、ドラッグパッケージ及びカードボードからなる群より選ばれる、請求項１記載の方法。
【請求項２２】
成形された容器上のコーティングはクラック、ピール、露出した非塗被基材又はそれらの組み合わせを実質的に含まない、請求項１記載の方法。
【請求項２３】
コーティングされた容器はスタンピング、延伸、機械加工、溶接又はそれらの組み合わせにより形成される、請求項１記載の方法。
【請求項２４】
コーティングされた基材はドローリドローカンに成形加工される、請求項１記載の方法。
【請求項２５】
少なくとも２つのカルバメートサイトを有する架橋性ポリエステル−ポリウレタンポリマー、
架橋剤、及び、
キャリア、潤滑剤、顔料、レオロジー調節剤及び流れ調節剤からなる群より選ばれる少なくとも１つの補助剤、を含む、コーティング組成物。
【請求項２６】
基材、
少なくとも２つのカルバメートサイトを有する架橋性ポリエステル−ポリウレタンポリマー、
架橋剤、及び、
キャリア、潤滑剤、顔料、レオロジー調節剤及び流れ調節剤からなる群より選ばれる少なくとも１つの補助剤、を有する組成物から製造された硬化したコーティング、を含む、コーティングされたパッケージ。
【手続補正２】
【補正対象書類名】明細書
【補正対象項目名】０００１
【補正方法】削除
【補正の内容】
【手続補正３】
【補正対象書類名】明細書
【補正対象項目名】０００７
【補正方法】変更
【補正の内容】
【０００７】
要旨
本発明は、１つの態様において、包装容器をコーティングする新規の方法に関する。本発明の方法は、架橋性ポリエステル−ポリウレタンポリマーを有するコーティング組成物を提供する工程を含む。架橋性ポリエステル−ポリウレタンポリマーは少なくとも２つのカルバメートサイトを含む。コーティング組成物は架橋剤をも含む。
【手続補正４】
【補正対象書類名】明細書
【補正対象項目名】００１２
【補正方法】変更
【補正の内容】
【００１２】
本発明のコーティング組成物は架橋可能なポリエステル−ポリウレタンポリマー、架橋剤を含み、そして、場合により、さらに、潤滑剤、顔料、レオロジー調節剤、流れ調節剤及び溶剤などの少なくとも１つの補助剤を含んでよい。コーティング組成物の硬化を促進するために触媒も用いてよい。本発明のコーティング組成物は以下の１つ以上の特徴を提供する：施用されたパッケージ上での優れた被膜一体性、顔料の優れた受容性、望ましい化学安定性、改良された耐腐蝕性及び／又は要求される滅菌処理耐性。
【手続補正５】
【補正対象書類名】明細書
【補正対象項目名】００２７
【補正方法】変更
【補正の内容】
【００２７】
本発明のコーティング組成物は架橋剤をも含む。本発明で使用可能な架橋剤は、好ましくは、所望の時間及び温度の範囲内で反応体の架橋を生じさせるために十分な量で存在する。適切な架橋剤は多官能性ブロックトイソシアネート、フェノール類、アミノ樹脂などを含む。ブロックトポリイソシアネートのための通常に有用なブロック化剤は、アルキルケトキシム（例えば、メチルエチルケトキシム）、フェノール類、環状ラクタム、チオール、第三級アルコール、第二級芳香族アミン及びジカルボニル化合物（例えばジエチルマロネート）などの当業界においてよく知られているものである。架橋剤として使用可能な現状で好ましいブロックトイソシアネートはHuls Degussaから入手可能なVestanat B1358である。